(57)【要約】  サーバーにロードされた各電子機器に対する制御周波数コードデータをダウンロードするとともに、ダウンロードした制御周波数コードデータを自動的に設定して遠隔制御機能を行うための、制御周波数コードデータのダウンロード用装置、汎用リモコン、及び汎用リモコンとして用いる移動式通信端末を提供する。制御周波数コードデータのダウンロード用装置は、各電子機器に対する制御周波数コードデータがロードされているサーバーと、上記サーバーにロードされている各電子機器に対する制御周波数コードデータをインターネットからダウンロードするための通信端末と、上記通信端末から送られる各電子機器に対する制御周波数コードデータを自動的に設定するための所定のプログラムを実行して、制御周波数コードに対応する遠隔制御機能を行う汎用リモコンとを含む。
2005510914.tif 000002
【特許請求の範囲】
【請求項１】
制御周波数コードデータのダウンロード用装置であって、
各電子機器の制御周波数コードデータがロードされているサーバーと、
上記サーバーにロードされている各電子機器の制御周波数コードデータをインターネットからダウンロードするための通信端末と、
上記通信端末から送られる各電子機器の制御周波数コードデータを自動的に設定するための所定のプログラムを実行して、制御周波数コードに対応する遠隔制御機能を行う汎用リモコンとを備えることを特徴とする装置。
【請求項２】
上記汎用リモコンは、
互いに交差するＸ軸とＹ軸のマトリックスから構成されるとともに、任意の交差接点が選択されると電圧降下によって選択信号を出力するキーパッドと、
上記通信端末から送られる各電子機器の制御周波数コードデータをダウンロードして、該ダウンロードした制御周波数コードデータを自動的に設定するための所定のプログラムを実行し、上記キーパッドから出力される信号を分析して所定の対応制御信号を生成するコントローラと、
上記コントローラにダウンロードされた制御周波数コードデータを格納するためのデータメモリとを備えることを特徴とする請求項１記載の装置。
【請求項３】
上記データメモリは、ＥＥＰＲＯＭ（電気的消去・書込み可能ＲＯＭ）から成ることを特徴とする請求項２記載の装置。
【請求項４】
上記通信端末は、パーソナルコンピュータ、あるいは移動式通信端末であることを特徴とする請求項１記載の装置。
【請求項５】
上記汎用リモコンは、所定のデータ線を介して上記パーソナルコンピュータと接続されていることを特徴とする請求項４記載の装置。
【請求項６】
上記データ線は、その一端には上記パーソナルコンピュータのシリアルポートと接続するためのコネクタと、他端には上記データ線を上記汎用リモコンと接続するためのコネクタとを有することを特徴とする請求項５記載の装置。
【請求項７】
上記汎用リモコンは、上記データ線のコネクタと電気的に接続される接続ポートを含むことを特徴とする請求項４記載の装置。
【請求項８】
上記データ線の一端に形成されたコネクタは、上記汎用リモコンの接続ポートに接続され、上記データ線の他端に形成されたコネクタは、移動式通信端末のデータ入出力ポートに接続されていることを特徴とする請求項４記載の装置。
【請求項９】
互いに交差するＸ軸とＹ軸のマトリックスから構成されるとともに、任意の交差接点が選択されると電圧降下によって選択信号を出力するキーパッドと、
所定の通信端末から送られる各電子機器に対する制御周波数コードをダウンロードして、該ダウンロードした制御周波数コードデータを自動的に設定するための所定のプログラムを実行し、上記キーパッドから出力される信号を分析して所定の対応制御信号を生成するコントローラと、
ダウンロードされた各電子機器の制御周波数コードを格納するためのデータメモリとを備えることを特徴とする汎用リモコン。
【請求項１０】
所定の通信端末のデータ線に電気的に接続される接続ポートをさらに備えることを特徴とする請求項９記載の汎用リモコン。
【請求項１１】
上記通信端末は、パーソナルコンピュータ、あるいは移動式通信端末であることを特徴とする請求項１０記載の汎用リモコン。
【請求項１２】
上記データ線は、その一端にはパーソナルコンピュータのシリアルポートと接続するためのコネクタと、他端にはデータ線を上記汎用リモコンと接続するためのコネクタを有することを特徴とする請求項１１記載の汎用リモコン。
【請求項１３】
上記データ線の一端に形成されたコネクタは、上記接続ポートに接続され、上記データ線の他端に形成されたコネクタは、移動式通信端末のデータ入出力ポートに接続されていることを特徴とする請求項１２記載の汎用リモコン。
【請求項１４】
上記データメモリは、ＥＥＰＲＯＭ（電気的消去・書込み可能ＲＯＭ）から成ることを特徴とする請求項９記載の汎用リモコン。
【請求項１５】
制御周波数コードデータのダウンロード用装置であって、
各電子機器の制御周波数コードデータがロードされているサーバーと、
上記サーバーにロードされている各電子機器の制御周波数コードデータをインターネットからダウンロードするとともに、自動的に該制御周波数コードデータを設定して、制御周波数コードに対応する遠隔操作機能を行うための汎用リモコンとして用いる移動式通信端末とを備えることを特徴とする装置。
【請求項１６】
上記汎用リモコンとして用いる移動式通信端末は、
複数の機能キーと汎用の遠隔操作モードキーとを含むキーパッドと、
アンテナを介して受信した各電子機器の制御周波数コードデータと一般移動通信データとを送るとともに、入力された遠隔操作機能信号をアンテナを介して送信するための送受信分離部と、
上記送受信分離部から送られる各電子機器の制御周波数コードデータを周波数変換し、復調する受信機と、
上記キーパッドから出力される信号を分析して上記受信機から送られる各電子機器の制御周波数コードデータを自動的に設定するための所定の制御信号を生成して、汎用遠隔操作機能を行うためのコントローラと、
上記コントローラから送られる制御周波数コードデータを格納するためのメモリとを備えることを特徴とする請求項１５記載の装置。
【請求項１７】
複数の機能キーと汎用の遠隔操作モードキーとを含むキーパッドと、
アンテナを介して受信した各電子機器の制御周波数コードデータと一般移動通信データとを送るとともに、入力された遠隔操作機能信号をアンテナを介して送信するための送受信分離部と、
上記送受信分離部から送られる各電子機器の制御周波数コードデータを周波数変換し、復調する受信機と、
上記キーパッドから出力される信号を分析して上記受信機から送られる各電子機器の制御周波数コードデータを自動的に設定するための所定の制御信号を生成して、汎用遠隔操作機能を行うためのコントローラと、
上記コントローラから送られる制御周波数コードデータを格納するためのメモリとを備えることを特徴とする、汎用リモコンとして用いる移動式通信端末。
【発明の詳細な説明】
【技術分野】
【０００１】
本発明は、制御周波数コードデータのダウンロード用装置、汎用リモコン、及び汎用リモコンとして用いる移動式通信端末に関する。さらに詳しくは、本発明は、サーバーにロードされた各電子機器の制御周波数コードデータをダウンロードするとともに、ダウンロードした制御周波数コードデータを自動的に設定して遠隔制御機能を行うための、制御周波数コードデータのダウンロード用装置、汎用リモコン、及び汎用リモコンとして用いる移動式通信端末に関するものである。
【背景技術】
【０００２】
一般に、リモコン（remote controller）はテレビ、ビデオテープレコーダ、オーディオ、エアコン、有線放送用変換器、衛星放送用変換器、扇風機等の電子機器における様々な機能を制御周波数の無線通信によって遠隔操作する装置である。
【０００３】
各電子機器は、他の電子機器が誤った操作を行わないように異なる周波数帯を使用するので、それぞれ専用のリモコンを有する。したがって、複数の電子機器を使用する場合、各電子機器の遠隔操作をするために各電子機器に対応するリモコンで所望の機能が行われるため、所望の機能を選択する際に様々な複雑な問題が生じる。
【０００４】
そのため、１つのリモコンで複数の電子機器を遠隔操作するために、電子機器製造業者やその製造業者が製造する電子機器ごとに設定された制御周波数コードを有する汎用リモコンが開発されている。
【０００５】
一般のサーチ（search）方法を用いて、汎用リモコンと製造業者が製造した電子機器との制御周波数が設定される。詳しくは、任意の電子機器製造業者が製造した任意の電子機器と汎用リモコンとの制御周波数をサーチして設定するために、使用する電子機器に対応する周波数が検出されるまで、汎用リモコンに設定された制御周波数コードの抽出を何度も行わなければならない。
【０００６】
約３００個の制御周波数コードが汎用リモコンに設定されている場合、任意の電子機器に最適な遠隔操作周波数コードを設定するために、ユーザは周波数サーチ作業を少なくとも３００回行わなければならない。例えば、汎用リモコンと韓国の三星電子株式会社（Samsung Electronic Co.）が製造したテレビとの制御周波数を設定するために、そのテレビに対応する周波数が見つかるまで、汎用リモコンに設定された多数の制御周波数コードの抽出が順次何度も行われる。
【０００７】
上述のように、従来の汎用リモコンは、特定の電子機器に最適な制御周波数を設定するために、制御周波数コードのサーチを何度も行わなければならないため、サーチ作業には長時間必要とされる。また、従来の汎用リモコンのユーザは何度も行うサーチ作業に耐え得る忍耐力を持ち合わせなければならず、制御周波数コードのサーチ作業は稀にしか成功しない。さらに、汎用リモコンの操作方法をよく知らない老人や子供は所望の機能を選択することができないため、汎用リモコンの使用時の信頼性が低下する。
【０００８】
図１は、上記の問題を改善するために開発された従来の汎用リモコンを示すブロック図である。図１に示すように、従来の汎用リモコンは、互いに交差するＸ軸とＹ軸のマトリックスから構成されるとともに、任意の交差接点が選択されると電圧降下によって選択信号を出力するキーパッド１０と、設定されたプログラムを有するとともに、キーパッド１０から出力される信号を分析して所定の対応する制御信号を生成するコントローラ２０と、所定のクロック信号をコントローラ２０に入力してコントローラの安定した動作を維持するための発振器３０とを含む。さらに、汎用リモコンは電解コンデンサーである第１コンデンサーＣ１とセラミック・コンデンサーである第２コンデンサーＣ２とから成り、電源であるバッテリーＢＡが完全に放電された時に非常用電源を特定期間維持し、各負荷へ供給するためのバッテリーの電圧と電流とを安定的に処理するための電源５０と、コントローラ２０から出力される信号に基づいて所定の周波数帯を生成して送信するための赤外線周波数送信機４０と、キーパッド１０のボタンが選択され、コントローラ２０がユーザに動作状態を示すための周波数を生成すると点灯するインジケータ６０とを含む。
【０００９】
キーパッド１０は、０から９のテンキー、電源選択キー、上下キー、音量調整キー、設定キー、消音キー、前動作の戻しキー、電子機器全体の電源を制御するためのマクロキー、様々な電子機器を選択するためのキー、及び所定の機能キーとを含む。
【００１０】
コントローラ２０は、下記の表１に示す、電子機器を製造する各電子機器製造メーカのＩＤコードデータを有し、該ＩＤコードデータはコントローラ２０の内部メモリに置かれている。また、各メーカーが製造した電子機器を制御する周波数コードは、メーカーＩＤと共に電子機器の種類ごとにグループ化され、コントローラ２０の内部メモリ内に格納される。
【００１１】
赤外線周波数送信機４０は、コントローラ２０から出力される信号の強度を調節するためのレジスタＲ２、レジスタＲ２を介して入力される信号に基づき切り換えられるトランジスタＴＲ、および、トランジスタＴＲのコレクタに接続され、トランジスタＴＲの切り換え動作に基づき発光するＬＥＤ１を含む。
【００１２】
【表１】
2005510914.tif 000003
【００１３】
しかし、表１に示すように、従来の汎用リモコンは大量のデータを格納するメモリを有して製造されて、ユーザに販売されるが、それはユーザがどの電子機器を所有しているか、汎用リモコンの製造業者にはわからないためであり、価格上昇の要因となっている。さらに、汎用リモコンには膨大な量のデータが格納されているので、取扱説明書を参照してコードデータを設定するのは難しい。コードデータが設定されても、その後バッテリーを新しいものと交換したり、リモコンから取り外したりすると、データが消去されてしまうので、コードデータを再度設定することはユーザにとって不便である。
【発明の開示】
【００１４】
したがって、本発明の目的は、サーバーにロードされた各電子機器の制御周波数コードデータをダウンロードするとともに、該制御周波数コードデータを自動的に設定して遠隔制御機能を行うための、制御周波数コードデータのダウンロード用装置、汎用リモコン、及び汎用リモコンとして用いる移動式通信端末を提供することである。
【００１５】
本発明の目的を達成するために、制御周波数コードデータのダウンロード用装置は、各電子機器の制御周波数コードデータがロードされているサーバーと、上記サーバーにロードされている各電子機器の制御周波数コードデータをインターネットからダウンロードするための通信端末と、上記通信端末から送られる各電子機器の制御周波数コードデータを自動的に設定するための所定のプログラムを実行して、制御周波数コードに対応する遠隔制御機能を行う汎用リモコンとを備えることを特徴とする。
【００１６】
また、本発明の目的を達成するために、汎用リモコンは、互いに交差するＸ軸とＹ軸のマトリックスから構成されるとともに、任意の交差接点が選択されると電圧降下によって選択信号を出力するキーパッドと、所定の通信端末から送られる各電子機器に対する制御周波数コードをダウンロードして、該ダウンロードした制御周波数コードデータを自動的に設定するための所定のプログラムを実行し、上記キーパッドから出力される信号を分析して所定の対応制御信号を生成するコントローラと、ダウンロードされた各電子機器の制御周波数コードを格納するためのデータメモリとを備えることを特徴とする。
【００１７】
本発明の目的を達成するために、制御周波数コードデータのダウンロード用装置は、各電子機器の制御周波数コードデータがロードされているサーバーと、上記サーバーにロードされている各電子機器の制御周波数コードデータをインターネットからダウンロードするとともに、自動的に該制御周波数コードデータを設定して、制御周波数コードに対応する遠隔操作機能を行うための汎用リモコンとして用いる移動式通信端末とを備えることを特徴とする。
【００１８】
また、本発明の目的を達成するために、汎用リモコンとして用いる移動式通信端末は、複数の機能キーと汎用の遠隔操作モードキーとを含むキーパッドと、アンテナを介して受信した各電子機器の制御周波数コードデータと一般移動通信データとを送るとともに、入力された遠隔操作機能信号をアンテナを介して送信するための送受信分離部と、上記送受信分離部から送られる各電子機器の制御周波数コードデータを周波数変換し、復調する受信機と、上記キーパッドから出力される信号を分析して上記受信機から送られる各電子機器の制御周波数コードデータを自動的に設定するための所定の制御信号を生成して、汎用遠隔操作機能を行うためのコントローラと、上記コントローラから送られる制御周波数コードデータを格納するためのメモリとを備えることを特徴とする。
【発明を実施するための最良の形態】
【００１９】
本発明の好適な実施形態について添付した図に基づいて詳細を説明すれば、以下の通りである。
【００２０】
図２は、本発明の一実施形態にかかる制御周波数コードデータのダウンロード用装置を示すブロック図である。
【００２１】
図２によると、本発明の一実施形態にかかる制御周波数コードデータのダウンロード用装置は、各電子機器の制御周波数コードデータがロードされたサーバー３３０と、サーバー３３０にロードされた各電子機器の制御周波数コードデータをインターネットからダウンロードし、汎用リモコン３１０へ送る通信端末３２０と、通信端末３２０から送られた各電子機器の制御周波数コードデータをダウンロードするとともに、ダウンロードした制御周波数コードデータを自動的に設定して制御周波数コードデータに対応する遠隔制御操作を行うための汎用リモコン３１０とを含む。
【００２２】
通信端末３２０には、図４に示すようなパーソナルコンピュータ２、あるいは図５に示すような移動式通信端末３を使用する。
【００２３】
図３は、図２の汎用リモコンの回路図である。図３によると、本発明の汎用リモコンは、互いに交差するＸ軸とＹ軸のマトリックスから構成されるとともに、任意の交差接点が選択されると電圧降下によって選択信号を出力するキーパッド１０と、通信端末３２０から送られる各電子機器の制御周波数コードデータをダウンロードして、ダウンロードした制御周波数コードデータを汎用リモコンの中に自動的に設定するための所定のプログラムを実行するとともに、キーパッド１０から出力される信号を分析してその信号に対応する所定の制御信号を生成するコントローラ８０と、ダウンロードした制御周波数コードデータを格納するためのデータメモリ９０と、所定のクロック信号をコントローラ８０に入力してコントローラの安定した動作を維持するための発振器３０と、電解コンデンサーＣ１から成り、電源であるバッテリーが完全に放電された時に非常用電源を特定期間維持し、各負荷へ供給するためのバッテリーの電圧と電流とを安定的に処理するための電源５０と、コントローラ８０から出力される信号によって所定の周波数帯を生成して送信するための周波数送信機４０とを含む。
【００２４】
データメモリ９０は、ＥＥＰＲＯＭ（電気的消去・書込み可能ＲＯＭ）から成る。
【００２５】
図４は、図２の汎用リモコンと、通信端末であるパーソナルコンピュータとの接続を示す。図４に示すように、本発明にかかる汎用リモコン１００は、所定のデータ線６１を介してパーソナルコンピュータ２と接続される。データ線６１は、一端にはパーソナルコンピュータ２のシリアルポートと接続するためのコネクタ（図示せず）と、他端にはデータ線６１を汎用リモコン１００と接続するためのコネクタ６６１とを含む。汎用リモコン１００は、データ線６１のコネクタ６１１と電気的に接続される接続ポートを有する。
【００２６】
上記通信端末は図４のパーソナルコンピュータであると説明したが、パーソナル移動式通信端末等の移動式通信端末を上記通信端末として使用してもよい。
【００２７】
詳しくは、近年のＷＡＰ（無線機器プロトコル）技術の発展によって、ユーザは携帯電話等の自分の移動式通信端末を使ってインターネットを利用できる。この移動式通信端末は内部にインターネットと接続するためのウェブブラウザを含み、ユーザがウェブブラウザを動作させることでインターネットに接続できるようになっている。
【００２８】
図５は、図２の汎用リモコンと、所定のデータ線を介した通信端末である移動式通信端末との接続を示す図である。図５によると、データ線６１の一端に形成されたコネクタ６１１は、汎用リモコン１００の接続ポート１０１に接続され、データ線６１の他端に形成されたコネクタ６１２は、移動式通信端末３のデータ入出力ポートに接続されている。移動式通信端末３内のウェブブラウザを実行し、図２に示すサーバー３３０にロードされた各電子機器の制御周波数コードデータをインターネットからダウンロードし、ダウンロードされた制御周波数コードデータを汎用リモコンへ送る。
【００２９】
以下に、本発明の好適な実施形態にかかる汎用リモコンの動作について、詳細を説明する。
【００３０】
サーバー３３０内には、各電子機器に対する制御周波数コードデータがロードされている。ユーザは、パーソナルコンピュータ２、あるいは移動式通信端末３を用いて所望の制御周波数コードデータをダウンロードするために、自分の汎用リモコン１００を、通信端末３２０である自分のパーソナルコンピュータ２、あるいは移動式通信端末３に接続する。そして、ユーザはパーソナルコンピュータ２、あるいは移動式通信端末３にロードされたウェブブラウザを実行してサーバー３３０と接続することで、必要な制御周波数コードデータを選択しダウンロードする。
【００３１】
汎用リモコンを使って自分の電子機器を操作するために必要な制御周波数コードデータをユーザが知らない場合、ユーザは電子メールを通じてサーバー３３０のオペレーターに制御周波数コードデータの問い合わせをする。すると、サーバーのオペレーターは、ユーザの電子機器に対応する制御周波数コードデータを指定してユーザに返答する。従って、ユーザは、サーバーのオペレーターからの返答によって制御周波数コードデータを選択できる。あるいは、サーバーのオペレーターと交信を行った仲介人（Agency）を通じて、ユーザは自分の電子機器に対応した制御周波数コードデータを選択できる。
【００３２】
ユーザが選択した制御周波数コードデータは、インターネットを使ってパーソナルコンピュータ２、あるいは移動式通信端末３へとダウンロードされ、汎用リモコン１００のコントローラ８０へと送られる。コントローラ８０は、パーソナルコンピュータ２、あるいは移動式通信端末３から送られる制御周波数コードデータを受信し、電子機器の制御周波数コードを自動的に設定するプログラムを実行することで、受信した制御周波数コードデータを自動的に設定する。また、コントローラ８０は、データメモリ９０内に制御周波数コードデータを格納する。
【００３３】
図６は、本発明の他の実施形態にかかる制御周波数コードデータのダウンロード用装置を示すブロック図である。
【００３４】
図６に示すように、本発明の他の実施形態にかかる制御周波数コードデータのダウンロード用装置は、各電子機器の制御周波数コードデータがロードされたサーバー４３０と、サーバー４３０にロードされた制御周波数コードデータをダウンロードするとともに、ダウンロードした制御周波数コードデータを自動的に設定して制御周波数コードに対応する遠隔操作機能を行うための汎用リモコンとして用いる移動式通信端末４２０とを含む。
【００３５】
図７は、汎用リモコンとして使用される移動式通信端末を示すブロック図である。
【００３６】
図７に示すように、移動式通信端末は、複数の機能キーと汎用の遠隔操作モードキーとを有するキーパッド２２０と、アンテナを介して受信した各電子機器の制御周波数コードデータと一般移動通信データとを受信機２６０に送るとともに、送信機２４０から入力された遠隔操作機能信号と一般移動通信データとをアンテナを介して送信するための送受信分離部２５０と、上記送受信分離部２５０から送られた制御周波数コードデータと一般移動通信データとを周波数変換し、復調する受信機２６０と、受信機２６０から送られた各電子機器に対する制御周波数コードデータを自動的に設定し、受信機２６０から送られた一般移動通信データに基づき一般移動式通信端末の機能を実行し、キーパッド２２０から出力された信号を分析して汎用リモコンと移動式通信端末の機能を行うための所定の制御信号を生成するためのコントローラ２００と、コントローラ２００から送られた制御周波数コードデータと複数の移動式通信端末制御プログラムとを格納するためのメモリ２１０と、コントローラ２００の制御下において端末の動作状態に応じてメッセージを表示するためのディスプレイ２３０とを含む。
【００３７】
以下に、本発明の他の実施形態にかかる汎用リモコンとして使用される移動式通信端末の動作について、詳細を説明する。
【００３８】
汎用リモコンとして移動式通信端末を使用するためにユーザがキーパッド２２０の汎用遠隔操作機能キーを入力すると、コントローラ２００は入力された汎用遠隔操作機能キーを認識して汎用遠隔操作モードを実行する。つまり、コントローラ２００は、メモリ２１０に格納されたウェブブラウザプログラムを実行して、各電子機器の制御周波数コードデータがロードされているサーバー４３０と接続する。
【００３９】
したがって、ユーザは、サーバー４３０にロードされた制御周波数コードデータから自分の電子機器に最適な制御周波数コードデータを選択する。ユーザが選択した制御周波数コードデータは送受信分離部２５０を介して受信機２６０へ送られる。
【００４０】
受信機２６０は、受信した制御周波数コードデータを周波数変換して復調し、コントローラ２００へ送る。コントローラ２００は受信機２６０から制御周波数コードデータを受信し、電子機器の制御周波数コードを自動的に設定するプログラムを実行することによって、受信した制御周波数コードデータを自動的に設定する。さらに、コントローラ２００は受信した制御周波数コードデータをデータメモリ２１０内に格納する。
【００４１】
〔発明の利用〕
以上のように、本発明は、各電子機器に対して制御周波数コードをインターネットからダウンロードし、ダウンロードした制御周波数コードを自動的に設定して遠隔操作機能を行うものである。本発明は以下に示す利点を有する。
【００４２】
第１に、ユーザはインターネット上にロードされた大量のデータから所望のデータコードを選択して汎用リモコンを使用するため、ユーザにとってリモコンが使いやすいものとなる。また、少ないデータ容量によって価格競争力が増す。
【００４３】
第２に、テレビ用だけなら７個のキーを使用する低価格の低価格の汎用リモコン、テレビとビデオの両方に用いるなら３２個のキーを使用する中レベルのグレードを有する汎用リモコン、テレビ、ビデオ、ケーブルテレビ、および補助ポート用には、４８個のキーを使用するグレードの高い汎用リモコンとすることができる。このように、機能ごとに多種多様なリモコンのモデルによって、ユーザは広範囲の選択ができるため、ユーザにとって所望のリモコンが使いやすいものとなる。
【００４４】
以上、具体的に実施形態を示して本発明を詳細に説明したが、本発明は説明した実施形態や添付クレームに制限されない。当業者は、本発明の範囲と精神を逸脱することなく実施形態の変更、修正が可能である。
【図面の簡単な説明】
【００４５】
【図１】従来の汎用リモコンを示すブロック図である。
【図２】本発明の一実施形態にかかる制御周波数コードデータのダウンロード用装置を示すブロック図である。
【図３】図２の汎用リモコンの回路図である。
【図４】図２の汎用リモコンと、通信端末であるパーソナルコンピュータとの接続を示す図である。
【図５】図２の汎用リモコンと、所定のデータ線を介した通信端末である移動式通信端末との接続を示す図である。
【図６】本発明の他の実施形態にかかる制御周波数コードデータのダウンロード用装置を示すブロック図である。
【図７】汎用リモコンとして使用される移動式通信端末を示すブロック図である。
【図１】
2005510914.tif 000004
【図２】
2005510914.tif 000005
【図３】
2005510914.tif 000006
【図４】
2005510914.tif 000007
【図５】
2005510914.tif 000008
【図６】
2005510914.tif 000009
【図７】
2005510914.tif 000010
【国際調査報告】
2005510914.tif 000011
2005510914.tif 000012